(57)【要約】【課題】ケーブルの配線作業の簡素化、および、省スペース化を実現できる雑音防止用治具を提供する。【解決手段】筒部２１を隔壁２の開口部３に差し込んだときに、外鍔部２２と係止爪２３１〜２３４とは、隔壁２の開口部３の周縁を挟持する。つまり、雑音防止用治具１を、隔壁２の開口部３を貫通するケーブル６を保護するブッシングとして兼用できる。したがって、別途のフェライトコアをケーブル６に直接に取り付ける必要はない。【選択図】図２
2013105808.tif 000002
【特許請求の範囲】
【請求項１】
隔壁（２）の開口部（３）に装着される環状ケース（１０）と、
上記環状ケース（１０）内に設けられると共にケーブル（６）が挿通される環状のフェライトコア（１１）と
を備え、
上記環状ケース（１０）は、
上記フェライトコア（１１）を内周面に取り付けた筒部（２１）と、
上記筒部（２１）の外周面に連なると共に上記隔壁（２）に当接する外鍔部（２２）と、
自由状態で上記筒部（２１）の外周面から突出し、かつ、上記筒部（２１）の内側方向へ弾性変形するように、上記筒部（２１）に取り付けられた係止爪（２３１〜２３４）と
を備え、
上記外鍔部（２２）と上記係止爪（２３１〜２３４）とは、上記筒部（２１）を上記隔壁（２）の上記開口部（３）に差し込んだときに、上記隔壁（２）の上記開口部（３）の周縁を挟持するように、配置されていることを特徴とする雑音防止用治具。
【請求項２】
請求項１に記載の雑音防止用治具において、
上記フェライトコア（１１）は、上記係止爪（２３１〜２３４）の内側に対向するように、配置されていることを特徴とする雑音防止用治具。
【請求項３】
請求項１または２に記載の雑音防止用治具において、
上記係止爪（２３１〜２３４）は、上記係止爪（２３１〜２３４）の上記外鍔部（２２）側の端部が自由端となるように、上記筒部（２１）に取り付けられ、
上記係止爪（２３１〜２３４）の外面には、少なくとも一つの段付部（２６１，２６２）を有することを特徴とする雑音防止用治具。
【請求項４】
請求項３に記載の雑音防止用治具において、
上記係止爪（２３１〜２３４）の上記段付部（２６１，２６２）は、複数あり、
この複数の段付部（２６１，２６２）は、上記係止爪（２３１〜２３４）の厚みが上記係止爪（２３１〜２３４）の自由端側へ次第に薄くなるように、形成されていることを特徴とする雑音防止用治具。
【請求項５】
請求項３または４に記載の雑音防止用治具において、
上記係止爪（２３１〜２３４）は、複数あり、
隣り合う上記係止爪（２３１〜２３４）において、一方の上記係止爪（２３１，２３３）の段付部（２６１，２６２）の筒部（２１）の軸方向の位置と、他方の上記係止爪（２３２，２３４）の段付部（２６１）の筒部（２１）の軸方向の位置とは、互いに、異なることを特徴とする雑音防止用治具。
【発明の詳細な説明】
【技術分野】
【０００１】
この発明は、例えば、隔壁の開口部を貫通するケーブルの周囲を覆ってこのケーブルからのノイズを抑制する雑音防止用治具に関する。
【背景技術】
【０００２】
従来、雑音防止用治具としては、ケーブルの周囲に直接に取り付けられたフェライトコアがあり、このフェライトコアは、ケーブルからのノイズを抑制していた（特開２００８−４７７５８号公報：特許文献１参照）。
【０００３】
しかしながら、上記従来の雑音防止用治具では、フェライトコアはケーブルに直接に取り付けられていたので、ケーブルの配線作業において、隔壁の開口部にブッシュを取り付け、このブッシュにケーブルを挿通してから、このケーブルにフェライトコアを直接に取り付けていた。このように、ケーブルの配線作業において、ブッシュに挿通したケーブルにフェライトコアを直接に取り付ける必要があり、作業が手間であった。また、ケーブルに直接に取り付けられたフェライトコアは、スペースをとって邪魔であった。
【先行技術文献】
【特許文献】
【０００４】
【特許文献１】特開２００８−４７７５８号公報
【発明の概要】
【発明が解決しようとする課題】
【０００５】
そこで、この発明の課題は、ケーブルの配線作業の簡素化、および、省スペース化を実現できる雑音防止用治具を提供することにある。
【課題を解決するための手段】
【０００６】
上記課題を解決するため、この発明の雑音防止用治具は、
隔壁の開口部に装着される環状ケースと、
上記環状ケース内に設けられると共にケーブルが挿通される環状のフェライトコアと
を備え、
上記環状ケースは、
上記フェライトコアを内周面に取り付けた筒部と、
上記筒部の外周面に連なると共に上記隔壁に当接する外鍔部と、
自由状態で上記筒部の外周面から突出し、かつ、上記筒部の内側方向へ弾性変形するように、上記筒部に取り付けられた係止爪と
を備え、
上記外鍔部と上記係止爪とは、上記筒部を上記隔壁の上記開口部に差し込んだときに、上記隔壁の上記開口部の周縁を挟持するように、配置されていることを特徴としている。
【０００７】
この発明の雑音防止用治具によれば、環状ケースと、環状ケース内に設けられたフェライトコアとを備えるので、フェライトコア内にケーブルを挿通したとき、フェライトコアがケーブルの周囲を覆って、ケーブルからのノイズを抑制することができる。
【０００８】
そして、上記環状ケースの外鍔部と係止爪とは、筒部を隔壁の開口部に差し込んだときに、隔壁の開口部の周縁を挟持するように、配置されているので、環状ケースを隔壁の開口部に簡単に取り付けることができる。つまり、雑音防止用治具を、隔壁の開口部を貫通するケーブルを保護するブッシングとして兼用できる。
【０００９】
したがって、フェライトコアを別途ケーブルに直接に取り付ける必要はなく、雑音防止用治具をブッシングとして隔壁の開口部に取り付け、ケーブルを雑音防止用治具に挿通するだけで、ケーブルからのノイズを簡単に抑制することができて、ケーブルの配線作業の簡素化、および、省スペース化を実現できる。
【００１０】
また、一実施形態の雑音防止用治具では、上記フェライトコアは、上記係止爪の内側に対向するように、配置されている。
【００１１】
この実施形態の雑音防止用治具によれば、上記フェライトコアは、上記係止爪の内側に対向するように、配置されているので、フェライトコアと係止爪とを、筒部の軸に直交する同一平面上に配置できて、特に、外鍔部にフェライトコアを取り付ける場合に比べて、環状ケースの軸方向の長さを小さくできる。
【００１２】
また、一実施形態の雑音防止用治具では、
上記係止爪は、上記係止爪の上記外鍔部側の端部が自由端となるように、上記筒部に取り付けられ、
上記係止爪の外面には、少なくとも一つの段付部を有する。
【００１３】
この実施形態の雑音防止用治具によれば、上記係止爪の外面には、少なくとも一つの段付部を有するので、係止爪の少なくとも一つの段付部と、係止爪の自由端の端面との、少なくとも２つの位置で、選択的に、隔壁の開口部の周縁に接触することができる。したがって、少なくとも２種類の厚みの隔壁に対応できる。
【００１４】
また、一実施形態の雑音防止用治具では、
上記係止爪の上記段付部は、複数あり、
この複数の段付部は、上記係止爪の厚みが上記係止爪の自由端側へ次第に薄くなるように、形成されている。
【００１５】
この実施形態の雑音防止用治具によれば、上記係止爪の上記段付部は、複数あるので、係止爪の複数の段付部と、係止爪の自由端の端面との、少なくとも３つの位置で、選択的に、隔壁の開口部の周縁に接触することができる。したがって、少なくとも３種類の厚みの隔壁に対応できる。
【００１６】
また、上記複数の段付部は、上記係止爪の厚みが上記係止爪の自由端側へ次第に薄くなるように、形成されているので、複数の段付部は、係止爪の自由端へ行くに従い、厚みの薄い隔壁に対応する。
【００１７】
また、一実施形態の雑音防止用治具では、
上記係止爪は、複数あり、
隣り合う上記係止爪において、一方の上記係止爪の段付部の筒部の軸方向の位置と、他方の上記係止爪の段付部の筒部の軸方向の位置とは、互いに、異なる。
【００１８】
この実施形態の雑音防止用治具によれば、隣り合う上記係止爪のそれぞれの段付部の筒部軸方向の位置は、互いに、異なるので、隣り合う係止爪が対応できる隔壁の厚みを、異ならせることができる。
【００１９】
また、１つの係止爪に複数の段付部を形成する場合、筒部の軸方向の大きさを小さくすると、係止爪の筒部軸方向の大きさが小さくなって、複数の段付部を形成することは難しくなるが、隣り合う係止爪のそれぞれの段付部の筒部軸方向の位置を、互いに、異ならせることで、筒部の軸方向の大きさを小さくしても、複数の段付部を形成することができる。これによって、環状ケースの軸方向の大きさを一層小さくできる。
【発明の効果】
【００２０】
この発明の雑音防止用治具によれば、上記環状ケースの外鍔部と係止爪とは、筒部を隔壁の開口部に差し込んだときに、隔壁の開口部の周縁を挟持するように、配置されているので、ケーブルの配線作業の簡素化、および、省スペース化を実現できる。
【図面の簡単な説明】
【００２１】
【図１】本発明の一実施形態の雑音防止用治具の使用状態を示す斜視図である。
【図２】雑音防止用治具の使用状態を示す断面図である。
【図３Ａ】雑音防止用治具の環状ケースを示す斜視図である。
【図３Ｂ】雑音防止用治具の環状ケースを示す正面図である。
【図３Ｃ】図３ＢのＡ−Ａ断面図である。
【発明を実施するための形態】
【００２２】
以下、この発明を図示の実施の形態により詳細に説明する。
【００２３】
図１は、この発明の一実施形態の雑音防止用治具の使用状態を示す斜視図である。図２は、雑音防止用治具の使用状態を示す断面図である。図１と図２に示すように、この雑音防止用治具１は、隔壁２の開口部３に、嵌め込まれる。
【００２４】
上記隔壁２は、例えば、インバータの箱体の内部に設けられ、制御部４とパワー部５とを仕切っている。隔壁２は、例えば、板金からなり、パワー部５からの放射ノイズが制御部４に伝わることを防止している。
【００２５】
上記制御部４と上記パワー部５とは、ケーブル６によって、接続されている。ケーブル６は、隔壁２の開口部３を挿通する。つまり、ケーブル６は、隔壁２の開口部３に嵌め込まれた騒音防止用治具１を挿通する。
【００２６】
上記騒音防止用治具１は、ケーブル６の周囲を覆って、このケーブル６からのノイズを抑制する。つまり、ケーブル６には、パワー部５からノイズが伝わり、このノイズが制御部４の誤動作の原因になるが、雑音防止用治具１によって、ケーブル６に伝わったノイズが制御部４に到達することを、防止できる。
【００２７】
上記騒音防止用治具１は、隔壁２の開口部３に装着される環状ケース１０と、上記環状ケース１０内に設けられた環状のフェライトコア１１とを有する。フェライトコア１１の内部に、ケーブル６が挿通される。
【００２８】
図２、図３Ａ、図３Ｂおよび図３Ｃに示すように、上記環状ケース１０は、筒部２１と、筒部２１の外周面に連なると共に隔壁２に当接する外鍔部２２と、筒部２１の内周面に連なる内鍔部２４と、筒部２１に取り付けられた第１〜第４係止爪２３１〜２３４とを有する。
【００２９】
上記筒部２１は、円筒状であり、筒部２１の一端に、外鍔部２２および内鍔部２４が、取り付けられている。筒部２１の外径は、隔壁２の開口部３の内径と略同じである。筒部２１の内周面には、フェライトコア１１を取り付けている。フェライトコア１１は、筒部２１の内周面に、例えば、圧入または接着により、固定されている。フェライトコア１１は、内鍔部２４に当接して、位置決めされる。
【００３０】
上記筒部２１の周面には、互いに対向する位置に、矩形状の第１孔部２５１および第２孔部２５２が設けられている。上記第１〜上記第４係止爪２３１〜２３４は、舌片状に形成され、それぞれの一端が、第１、第２孔部２５１，２５２の内面に固定されている。第１〜第４係止爪２３１〜２３４は、筒部２１の周方向に沿って、順に配置される。
【００３１】
具体的に述べると、上記第１、上記第２係止爪２３１，２３２のそれぞれの一端は、第１孔部２５１の鍔部２２，２４と反対側の内面に、固定されている。第１、第２係止爪２３１，２３２のそれぞれの鍔部２２，２４側の他端は、自由端となる。
【００３２】
同様に、上記第３、上記第４係止爪２３３，２３４のそれぞれの一端は、第２孔部２５２の鍔部２２，２４と反対側の内面に、固定されている。第３、第４係止爪２３３，２３４のそれぞれの鍔部２２，２４側の他端は、自由端となる。
【００３３】
そして、上記第１〜上記第４係止爪２３１〜２３４は、自由状態で筒部２１の外周面から突出し、かつ、筒部２１の内側方向へ弾性変形する。
【００３４】
上記フェライトコア１１は、第１〜第４係止爪２３１〜２３４の内側に対向するように、配置されている。これにより、フェライトコア１１と第１〜第４係止爪２３１〜２３４とを、筒部２１の軸に直交する同一平面上に配置できて、特に、外鍔部２２にフェライトコア１１を取り付ける場合に比べて、環状ケース１０の軸方向の長さを小さくできる。
【００３５】
上記第１〜上記第４係止爪２３１〜２３４の自由状態で、第１〜第４係止爪２３１〜２３４は、フェライトコア１１との間に隙間を有し、この隙間により、第１〜第４係止爪２３１〜２３４は、筒部２１の内側方向へ弾性変形する。
【００３６】
上記外鍔部２２と上記第１〜上記第４係止爪２３１〜２３４とは、筒部２１を隔壁２の開口部３に差し込んだときに、隔壁２の開口部３の周縁を挟持するように、配置されている。
【００３７】
上記第１係止爪２３１の外面には、第１係止爪２３１の固定端から自由端側へ、順に、第１段付部２６１と第２段付部２６２とを有する。第１段付部２６１と第２段付部２６２とは、外鍔部２２に対向する面であり、第１係止爪２３１の自由端の端面２６５に平行な面である。これにより、第１係止爪２３１は、第１、第２段付部２６１，２６２と、自由端の端面２６５との、３つの位置で、選択的に、隔壁２の開口部３の周縁に接触することができる。
【００３８】
また、上記第１係止爪２３１の第１段付部２６１と第２段付部２６２とは、第１係止爪２３１の厚みが第１係止爪２３１の自由端側へ次第に薄くなるように、形成されている。これによって、第１段付部２６１と第２段付部２６２とは、第１係止爪２３１の自由端へ行くに従い、厚みの薄い隔壁２に対応する。
【００３９】
上記第２係止爪２３２の外面には、第１段付部２６１を有する。第１段付部２６１は、外鍔部２２に対向する面であり、第２係止爪２３２の自由端の端面２６５に平行な面である。これにより、第２係止爪２３２は、第１段付部２６１と、自由端の端面２６５との、２つの位置で、選択的に、隔壁２の開口部３の周縁に接触することができる。
【００４０】
上記隣り合う第１、第２係止爪２３１，２３２において、第１係止爪２３１の第１、第２段付部２６１，２６２の筒部２１の軸方向の位置と、第２係止爪２３２の第１段付部２６１の筒部２１の軸方向の位置とは、互いに、異なる。つまり、第１係止爪２３１の第１段付部２６１の位置と、第１係止爪２３１の第２段付部２６２の位置と、第２係止爪２３２の第１段付部２６１の位置とは、外鍔部２２に向かって順に、配置される。これによって、隣り合う係止爪２３１，２３２が対応できる隔壁２の厚みを、異ならせることができる。
【００４１】
また、１つの係止爪に複数の段付部を形成する場合、筒部の軸方向の大きさを小さくすると、係止爪の筒部軸方向の大きさが小さくなって、複数の段付部を形成することは難しくなるが、隣り合う係止爪２３１，２３２のそれぞれの段付部２６１，２６２の筒部２１の軸方向の位置を、互いに、異ならせることで、筒部２１の軸方向の大きさを小さくしても、複数の段付部２６１，２６２を形成することができる。これによって、環状ケース１０の軸方向の大きさを一層小さくできる。
【００４２】
上記第１係止爪２３１の端面２６５の筒部２１の軸方向の位置と、上記第２係止爪２３２の端面２６５の筒部２１の軸方向の位置とは、同じである。
【００４３】
上記第３係止爪２３３は、第１係止爪２３１と同じ構成であり、上記第４係止爪２３４は、第２係止爪２３２と同じ構成である。
【００４４】
そして、上記第１係止爪２３１の第１段付部２６１および上記第３係止爪２３３の第１段付部２６１（第１位置という）と、第１係止爪２３１の第２段付部２６２および第３係止爪２３３の第２段付部２６２（第２位置という）と、第２係止爪２３２の第１段付部２６１および第４係止爪２３４の第１段付部２６１（第３位置という）と、第１係止爪２３１の端面２６５、第２係止爪２３２の端面２６５、第３係止爪２３３の端面２６５および第４係止爪２３４の端面２６５（第４位置という）との、４つの位置で、選択的に、隔壁２の開口部３の周縁に接触することができる。
【００４５】
したがって、第１〜第４係止爪２３１〜２３４は、４種類の厚みの隔壁２に対応できる。つまり、第１位置、第２位置、第３位置および第４位置は、順に、厚みの薄い隔壁２に対応する。
【００４６】
次に、上記構成の雑音防止用治具１を隔壁２の開口部３に取り付ける方法を説明する。
【００４７】
図１と図２に示すように、環状ケース１０の筒部２１を隔壁２の開口部３に挿入し、環状ケース１０の外鍔部２２が隔壁２の開口部３の周縁に当接するまで、雑音防止用治具１を押し込む。
【００４８】
このとき、環状ケース１０の第１〜第４係止爪２３１〜２３４は、隔壁２の開口部３の内面に内側に向かって押圧されて弾性変形し、第２係止爪２３２の第１段付部２６１および第４係止爪２３４の第１段付部２６１の位置（第３位置）で、隔壁２の開口部３の周縁に接触する。このように、外鍔部２２と第２、第４係止爪２３２，２３４とが、協働して、隔壁２の開口部３の周縁を挟持して、雑音防止用治具１が隔壁２の開口部３の周縁に固定される。その後、ケーブル６を雑音防止用治具１内に挿通する。
【００４９】
上記構成の雑音防止用治具１によれば、環状ケース１０と、環状ケース１０内に設けられたフェライトコア１１とを備えるので、フェライトコア１１内にケーブル６を挿通したとき、フェライトコア１１がケーブル６の周囲を覆って、ケーブル６からのノイズを抑制することができる。
【００５０】
そして、上記環状ケース１０の外鍔部２２と係止爪２３１〜２３４とは、筒部２１を隔壁２の開口部３に差し込んだときに、隔壁２の開口部３の周縁を挟持するように、配置されているので、環状ケース１０を隔壁２の開口部３に簡単に取り付けることができる。つまり、雑音防止用治具１を、隔壁２の開口部３を貫通するケーブル６を保護するブッシングとして兼用できる。
【００５１】
したがって、別途のフェライトコアをケーブル６に直接に取り付ける必要はなく、雑音防止用治具１をブッシングとして隔壁２の開口部３に取り付け、ケーブル６を雑音防止用治具１に挿通するだけで、ケーブル６からのノイズを簡単に抑制することができて、ケーブル６の配線作業の簡素化、および、省スペース化を実現できる。
【００５２】
なお、この発明は上述の実施形態に限定されない。例えば、係止爪の数量を増減してもよい。また、１つの係止爪に、少なくとも一つの段付部を設けるようにしてもよく、係止爪の少なくとも一つの段付部と、係止爪の自由端の端面との、少なくとも２つの位置で、選択的に、隔壁の開口部の周縁に接触することができる。したがって、少なくとも２種類の厚みの隔壁に対応できる。
【００５３】
また、筒部の断面形状は、円形以外に、長円形や楕円形や多角形など、隔壁の開口部に対応した形状であればよい。また、本発明の雑音防止用治具を、インバータ以外の電子機器に設けられた隔壁に、適用してもよい。
【符号の説明】
【００５４】
１  雑音防止用治具
２  隔壁
３  開口部
６  ケーブル
１０  環状ケース
１１  フェライトコア
２１  筒部
２２  外鍔部
２３１  第１係止爪
２３２  第２係止爪
２３３  第３係止爪
２３４  第４係止爪
２６１  第１段付部
２６２  第２段付部
２６５  端面
【図１】
2013105808.tif 000003
【図２】
2013105808.tif 000004
【図３Ａ】
2013105808.tif 000005
【図３Ｂ】
2013105808.tif 000006
【図３Ｃ】
2013105808.tif 000007